(57)【要約】【課題】  とうもろこしからコーン粒を簡単にしかも綺麗に分離することができ、手や口を汚さずに、焼きとうもろこしや蒸しとうもろこしを食することができるようにする。【解決手段】  本体の一方の先方部は傾斜状を呈するとともに、その端部には溝あるいは切り込みを設け、該溝或いは切り込みで端部を分割して左右片を形成しており、  前記傾斜状を呈する部位は、溝或いは切り込みで分割して形成された左右片よりも本体の長手方向に及んでいることを特徴としている。【選択図】図４
2007098067.tif 000002
【特許請求の範囲】
【請求項１】
本体１の一方の先方部２は傾斜状を呈するとともに、その端部には溝３或いは切り込み６を設け、該溝或いは切り込みで端部を分割して左右片４，５を形成したことを特徴とするとうもろこし用コーン粒取り具。
【請求項２】
本体の一方の先方部の傾斜状を呈する部位は、少なくとも溝或いは切り込みで分割して形成された左右片４，５よりも本体の長手方向に及んでいることを特徴とする請求項１記載のとうもろこし用コーン粒取り具。
【発明の詳細な説明】
【技術分野】
【０００１】  本発明はとうもろこしの芯からコーン粒を分離して取り出すためのもので、この作業が簡単に行う事ができる器具に関するものである。
【背景技術】
【０００２】  とうもろこしを食する方法は、皮を剥いて焼くか或いは蒸す方法が一般的である。これらの方法である焼きとうもろこしや蒸しとうもろこし、何れの場合も、手に持って口に当て、コーン粒を直に歯で分離して食べるか、または、指で列ごとに外して食べている。
しかしながら、前者は口の周りが汚れたりコーン粒が芯に残ったりしていた。また、後者は上手く外れずに潰れたりしてコーン粒の外皮が残ってしまうなどの現象がしばしばであった。
【発明の開示】
【発明が解決しようとする課題】
【０００３】  焼きとうもろこしや蒸しとうもろこしを食するとき、口を汚したり、潰れたり、外皮を残したりせずに綺麗にコーン粒を芯から外すようにすることで、食べやすいばかりでなく食べてみて美味しく感じるのは共通の食感でもある。
しかしながら、指に力の無い子供や歯に自信の無い人にとって上手に芯からコーン粒を外す事はなかなか難しく、また、上記以外の人でもこれらの事はなかなか煩雑である。【０００４】  とうもろこしは、焼きとうもろこしや蒸しとうもろこしとして食する以外にも、例えばコーンスープなど一般家庭で、生のまま冷凍で保存したり焼いたり蒸したりした状態で利用するなど、多種の料理に利用される食材である。
このような場合、芯にコーン粒が付いた状態のまま保存すると嵩張るので、コーン粒で保存する事が現実的である。しかし、芯からコーン粒を型崩れしないように且つ残さずに綺麗に一つずつ外し取る事は煩雑でありなかなか難しい事である。【０００５】  そこで、本発明ではこれらの課題を解決しようとするもので、とうもろこしの芯から簡単にコーン粒を分離することができる器具を提供し、これにより、焼きとうもろこしや蒸しとうもろこしを食する際に、手や口を汚さずコーン粒のみを食する事ができるばかりでなく、食材として保存する場合などコーン粒の分離作業が簡単にできるようにするものである。
【課題を解決するための手段】
【０００６】  上記課題を解決するため、本発明は次のような構成を有するものである。
すなわち、とうもろこしの芯からコーン粒を分離する際に使用する器具であって、本体の一方の先方部は傾斜状を呈するとともに、その端部には溝あるいは切り込みを設け、該溝或いは切り込みで端部を分割して左右片を形成したことを特徴とする。【０００７】    また、本体の一方の先方部の傾斜状を呈する部位は、溝或いは切り込みで分割して形成された左右片よりも、本体の長手方向に及んでいることでコーン粒を容易に且つ綺麗に芯から分離する事ができる。
【発明の効果】
【０００８】  したがって、係る構成の特徴から本発明は、
（１）本体の一方の端部に溝或いは切り込みを設け、該溝或いは切り込みで端部を分割して左右片を形成しているで、コーン粒を両側から挟むような形で根元からすくう状態で捕らえることができ、コーン粒は潰れずに分離する。
（２）本体の一方の端部に溝あるいは切り込みを設け、少なくともこれらで分割して左右片を形成している部位は傾斜状を呈しているので、円滑に進行し、とうもろこしの芯からコーン粒を分離することができる。
（３）溝或いは切り込みで端部を分割して左右片を形成し、少なくともこの部位が傾斜状を呈していると言うだけの至ってシンプルな構成なものなので、安価に提供できるばかりでなく、その取り扱いはすこぶる安易にできることから、子供も容易に使用できるので調理実習などでも利用できるなどの効果を奏する。
【発明を実施するための最良の形態】
【０００９】  本発明に係るとうもろこし用コーン粒取り具は、木製やプラスチックス或いはステンレスなどで作られるが、何れにおいても差し支えなく実施でき、
本体１の一方の先方部２は傾斜状を呈するとともに、その端部には溝３或いは切り込み６を設け、これらで端部を分割して左右片４，５を形成し、
片先方部の傾斜状を呈する部位は、溝３或いは切り込み６で分割して形成された左右片４，５、よりも本体の長手方向に及んでいることを特徴としている。
【実施例】
【００１０】  本発明の実施例を図面に基づき説明する。
図１は、本発明のとうもろこし用コーン粒取り具の側面を示していて、本体１の一方の先方部２は傾斜状を呈している。【００１１】  図２は、本発明のとうもろこし用コーン粒取り具の実施例１を平面で示していて、傾斜状を呈している本体１の一方の先端部に略コ字形の溝３を設け、該溝で端部を分割して左右片４，５を形成したものである。【００１２】  図３は、本発明の実施例２を平面で示していて、傾斜状を呈している本体１の一方の先端部にＶ字状の切り込み６を設け、該切り込みで端部を分割して左右片４，５を形成したもので、図２で示した実施例１との相違点は、先端部に左右片を形成する溝或いは切り込みの形状にあって、図２にあっては略コ字形を呈した溝を設けてあるのに対し、本図の実施例ではＶ字状を呈して設けられている点にある。【００１３】  図４は、図３の実施例２を斜視図で示したもので、本図を含め全図に示した実施例において、本体１の一方の先端部に設けられる溝３或いは切り込み６で分割して形成された左右片４，５と、傾斜状との部位関係を説明すれば、傾斜状を呈する部位は、左右片４，５よりも本体の長手方向に及んでいる。
この先方部が傾斜状を呈していることが、コーン粒を芯から綺麗に分離する上で大変重要な役割を果たしている。
【産業上の利用可能性】
【００１４】  本発明のとうもろこし用コーン粒取り具は、以上説明のような構成を有するものであるから、とうもろこしの芯からコーン粒を分離するのに手も口も汚さずに、しかも素早く確実に且つ綺麗に行う事ができるので、一般家庭の台所に止まらずに調理実習でも使用できるので産業上の利用可能性は高く、更に、本発明は製造上の技術的な問題点も無いので、産業上の利用可能性は大いに期待できる。
【図面の簡単な説明】
【００１５】
【図１】本発明のとうもろこし用コーン粒取り具の側面を示した図である。
【図２】本発明実施例１のとうもろこし用コーン粒取り具を平面で示した図である。
【図３】本発明実施例２のとうもろこし用コーン粒取り具を平面で示した図である。
【図４】図３の実施例２のとうもろこし用コーン粒取り具を斜視図で示したものである。
【符号の説明】
【００１６】１本体    ２先方部    ３溝    ４，５左右片    ６切り込み
【図１】
2007098067.tif 000003
【図２】
2007098067.tif 000004
【図３】
2007098067.tif 000005
【図４】
2007098067.tif 000006